(57)【要約】【課題】１枚目の記録媒体の余白をユーザの意図する位置に設けると共に、画像形成後に重なる複数枚の記録媒体の余白を揃える。【解決手段】複数の画像データについて、ユーザから、画像の上下左右のうちの１又は隣り合う２箇所の余白に関する指示を受け付けると、１枚目の前記画像データについては、画像の寸法に合う記録媒体の向きが当該画像と異なれば、記録媒体の向きに合わせて画像を回転させたものに画像データを変換して、ユーザの指示にしたがって画像形成する。２枚目以降の画像データについては、該画像データに基づく画像を形成された記録媒体が１枚目の記録媒体に重なったときに余白が揃うように、余白を設ける。【選択図】図４
2008143079.tif 000002
【特許請求の範囲】
【請求項１】
画像の上下左右を示す向き情報を含む画像データ及びユーザから受け付けた指示情報に基づいて記録媒体に画像形成する画像形成装置において、
複数の前記画像データについて、該画像データが示す画像の上下左右のうちの１又は隣り合う２箇所の余白に関する指示を、当該画像データが含む前記向き情報に関連付けて前記指示情報として受け付けたとき、
複数の前記画像データのうちの１枚目である第１画像データについては、
該第１画像データに基づいて形成すべき画像の寸法に合う記録媒体である第１記録媒体の有無を判定し、
前記第１記録媒体は有るが向きが異なる場合には、前記第１画像データを、該画像データが示す画像を回転させて前記第１記録媒体の向きに合わせたものに変換し、
前記第１画像データに基づいた画像を前記指示情報に従って前記第１記録媒体に形成し、
複数の前記画像データのうちの２枚目以降である第２画像データについては、
該第２画像データに基づく画像を形成される記録媒体である第２記録媒体が前記第１記録媒体に重なったときに前記余白が揃うように、前記第２記録媒体に前記余白を設ける
ことを特徴とする画像形成装置。
【請求項２】
前記指示情報は、前記余白に印刷する情報をも含む
ことを特徴とする請求項１に記載の画像形成装置。
【請求項３】
前記指示情報に含まれる前記余白に印刷する情報は、頁番号である
ことを特徴とする請求項２に記載の画像形成装置。
【請求項４】
前記余白は、綴じ代である
ことを特徴とする請求項１から３の何れかに記載の画像形成装置。
【発明の詳細な説明】
【技術分野】
【０００１】
本発明は、画像形成装置に関する。
【背景技術】
【０００２】
画像形成装置としては例えば複写機や複合機、プリンタ等がある。これら画像形成装置には、画像データに基づいて記録媒体に画像形成する際に、綴じ代を設定したり頁番号を付加したりして、記録媒体に画像形成するものがある。
例えば綴じ代を設定して画像形成する場合、上記画像形成装置は、記録媒体に綴じ代としての余白を残した他の部分に、画像データに基づく画像を形成する。
【０００３】
図６に、複写機の第１の従来例を示す。この複写機において綴じ代を残した印刷を行う場合には、まず、ユーザが、寸法や画像の向きを考慮して綴じ位置を合わせて原稿を重ねて原稿読取装置（ＡＤＦ）に載置し、複写機に対して綴じ位置の設定を行う。
例えば図６（ａ）に示すように、左上に綴じ位置ｐが設定されると、複写機は、図６（ｂ）に示すように、印刷紙Ｓの左辺及び上辺に綴じ代ｍ（ハッチングで示す）を設け、印刷紙Ｓの残りの部分に印刷を行う。
【０００４】
図７に、複写機の第２の従来例を示す。この複写機は、下記特許文献１に開示された画像形成装置に準ずるものである。この特許文献１に開示された画像形成装置は、上記第１の従来例のようなユーザが複数枚の原稿の綴じ位置を考慮して重ね合わせる手間を省いたものである。
この複写機で綴じ代を残した印刷を行う場合には、まず、ユーザが、原稿の上下を合わせて重ねた原稿を原稿読取装置（ＡＤＦ）に載置し、複写機に対して、１枚目の原稿における綴じ位置の設定を行う。
例えば、図７（ａ）に示すように、１枚目の原稿における左上に綴じ位置ｐが設定されると、複写機は、図７（ｂ）に示すように、２枚目以降は、１枚目の原稿の寸法に合わせて重なり易い位置に綴じ代ｍを自動的に設定し、印刷する。
【特許文献１】特開２００２−２３２６７７号公報
【発明の開示】
【発明が解決しようとする課題】
【０００５】
上記第１の従来例の複写機においては、原稿読取装置に置かれた原稿の向きと合う印刷紙Ｓがなくなると、印刷が中断される。この複写機にオートカセットチェンジ機能が備わっていれば、原稿と向きが異なっても寸法が合う印刷紙Ｓがあれば、そちらを用いて印刷を継続する。しかしこの第１の従来例の複写機は、図６（ｃ）及び（ｄ）に示すように、印刷紙Ｓの長手方向の向きが変わっても、綴じ代ｍを変わらず左辺及び上辺に設けるため、綴じ代ｍがユーザの意図しない位置に設けられてしまうことがある。その場合、ユーザが印刷後の印刷紙Ｓを意図した向きに重ね直すと、綴じ代ｍの位置が揃わなくなってしまう。
【０００６】
また、上記第２の従来例のような複写機が、オートカセットチェンジ機能によって、印刷紙Ｓの向きによらず寸法が合うものを用いて印刷を行うと、図７（ｃ）及び（ｄ）に示すように、排紙状態では綴じ代ｍの向きが揃わずに印刷紙Ｓが重なってしまう。この場合には、ユーザが印刷後の印刷紙Ｓを綴じ代ｍが揃うように重ね直さなければならず、綴じるまでに手数がかかってしまう。
【０００７】
本発明は、上述した事情に鑑みてなされたもので、１枚目の記録媒体の余白をユーザの意図する位置に設けると共に、画像形成後に重なる複数枚の記録媒体の余白を揃えることを目的とする。
【課題を解決するための手段】
【０００８】
上記課題を解決するために、本発明では、第１の手段として、画像の上下左右を示す向き情報を含む画像データ及びユーザから受け付けた指示情報に基づいて記録媒体に画像形成する画像形成装置において、複数の前記画像データについて、該画像データが示す画像の上下左右のうちの１又は隣り合う２箇所の余白に関する指示を、当該画像データが含む前記向き情報に関連付けて前記指示情報として受け付けたとき、複数の前記画像データのうちの１枚目である第１画像データについては、該第１画像データに基づいて形成すべき画像の寸法に合う記録媒体である第１記録媒体の有無を判定し、前記第１記録媒体は有るが向きが異なる場合には、前記第１画像データを、該画像データが示す画像を回転させて前記第１記録媒体の向きに合わせたものに変換し、前記第１画像データに基づいた画像を前記指示情報に従って前記第１記録媒体に形成し、複数の前記画像データのうちの２枚目以降である第２画像データについては、該第２画像データに基づく画像を形成される記録媒体である第２記録媒体が前記第１記録媒体に重なったときに前記余白が揃うように、前記第２記録媒体に前記余白を設けることを特徴とする画像形成装置を採用した。
【０００９】
また、第２の手段として、上記第１の手段に係る画像形成装置において、前記指示情報は、前記余白に印刷する情報をも含むものを採用した。
【００１０】
第３の手段として、上記第２の手段に係る画像形成装置において、前記指示情報に含まれる前記余白に印刷する情報は、頁番号であるものを採用した。
【００１１】
第４の手段として、上記第１から３の何れかの手段に係る画像形成装置において、前記余白は、綴じ代であるものを採用した。
【発明の効果】
【００１２】
本発明によれば、１枚目の画像データについてユーザの指定する位置に余白を設けて画像形成すると共に、後続の画像データについては、画像形成後の重なった記録媒体の余白が揃うように余白を設けるので、画像形成後の重なったままの状態で全記録媒体の余白が揃う。したがって、本発明によれば、１枚目の記録媒体の余白をユーザの意図する位置に設けることを可能にすると共に、ユーザの手作業なしに全記録媒体の余白の位置を揃えることができる。よって、例えば余白が綴じ代であれば、画像形成後の重なったままの状態で記録媒体を綴じることができる。
【発明を実施するための最良の形態】
【００１３】
以下、本発明の画像形成装置の一実施形態である複合機について図面を参照して説明する。図１は、本実施形態における複合機１００の一部の外観を示す斜視図である。図２は、複合機１００の機能構成を示すブロック図である。
複合機１００は、操作表示部１、通信インタフェース２、原稿読取装置（ＡＤＦ）３、画像記憶部４、画像処理部５、印刷部６、給紙装置７及び制御部８を備えている。
【００１４】
操作表示部１は、操作キー１ａや表示パネル１ｂ等を備えている。
操作キー１ａは、ユーザから複合機１００に対する操作指示を受け付けるものであって、ユーザによる操作指示に応じた信号を制御部８に出力する。表示パネル１ｂは、制御部８による制御の下に、ユーザが複合機１００の動作状況を認識するための画像を表示するものである。
【００１５】
通信インタフェース２は、制御部８による制御の下に、ローカルエリアネットワークＮを介してパーソナルコンピュータｔ１，ｔ２，…，ｔｎと各種情報の送受信を行う。
ローカルエリアネットワークＮは、例えば同一社内全域に亘って有線ないし無線にて敷設され、該社内における情報の受け渡しを電子データの送受信にて可能とするものである。そして、複合機１００とパーソナルコンピュータｔ１，ｔ２，…，ｔｎとを通信可能に接続している。
【００１６】
原稿読取装置３は、原稿自動送り装置及びスキャナを備えている。このような原稿読取装置３は、制御部８による制御の下に、原稿自動送り装置から供給された原稿の画像をスキャナで順次読み取り、原稿画像の画像データを画像記憶部４に出力する。この画像データは、原稿画像の上下左右を示す向き情報を含んでいる。
画像記憶部４は、ハードディスク等の外部記憶装置、半導体メモリ等から構成されており、原稿読取装置３から出力される画像データを一時的に記憶する。この画像記憶部４は、制御部８による制御の下に、上記画像データの書き込みを行うと共に、当該画像データを読み出して画像処理部５に出力する。
【００１７】
画像処理部５は、制御部８による制御の下で、画像記憶部４から入力された画像データを必要に応じて回転や拡大／縮小、濃度調節等の画像処理を施しつつ印刷用の画像データに変換して、印刷部６に出力する。
印刷部６は、周知の感光体ドラムや静電潜像書込装置、現像装置、定着装置等からなるものであって、制御部８による制御の下に、給紙装置７から給紙された印刷紙（記録媒体）を搬送しつつ当該印刷紙にトナーを付着させることにより、画像処理部５から入力される画像データに基づいた印刷画像を印刷紙上に形成し出力する。
【００１８】
給紙装置７は、複数段の給紙カセット７１，７２，７３，７４，７５，７６を備え、各給紙カセット７１〜７６に各々寸法や向きが異なる印刷紙を収納している。
即ち、最上段の給紙カセット７１には、Ｂ５の印刷紙が縦置き（Portrait）で収納され、この給紙カセット７１に並列して設けられている給紙カセット７２には、Ａ４の印刷紙が縦置きで収納されている。また、上記給紙カセット７１，７２の下段の給紙カセット７３には、Ａ３の印刷紙が横置き（Landscape）で収納されている。更に下段の給紙カセット７４にはＢ４の印刷紙が横置きで収納され、給紙カセット７５にはＡ４の印刷紙が横置きで収納され、そして最下段の給紙カセット７６にはＢ５の印刷紙が横置きで収納されている。
このような給紙装置７は、制御部８による制御の下で、適する寸法及び向きの印刷紙を印刷部６へ給紙する。
【００１９】
制御部８は、内部メモリ、ＣＰＵ（Central Processing Unit）、及び他の各部（つまり、操作表示部１、通信インタフェース２、原稿読取装置３、画像記憶部４、画像処理部５、印刷部６及び給紙装置７）とのデータ授受を行う各種入出力インタフェース回線等から構成され、複合機１００の全体動作を制御するものである。
内部メモリは、制御プログラムを記憶している。ＣＰＵは、上記制御プログラムや各種制御用データ等に基づいて制御演算を行うことによって、上記他の各部を統括的に制御する。
【００２０】
このような構成において、操作表示部１、通信インタフェース２、原稿読取装置３、画像記憶部４、画像処理部５、印刷部６、給紙装置７及び制御部８は、複合機１００の周知の機能を実現する。
以下、このように構成された複合機１００の特徴的動作について、図３〜図５をも参照して説明する。図３は、複合機１００の特徴的動作の一つである綴じ代設定印刷の流れを示すフローチャートである。図４は、少なくとも１枚目の原稿Ｄ１の左上に当たる位置ｑを綴じるように綴じ代ｍを設定した場合の原稿Ｄ１〜Ｄ３の給紙方向（ａ）及び印刷紙Ｓ１〜Ｓ３，Ｓ１´，Ｓ３´の排紙方向（ｂ，ｃ，ｄ）を示す模式図である。
【００２１】
まず、原稿読取装置３が原稿の画像を読み取ることにより生成した画像データを画像記憶部４に出力すると（ステップＳ１）、制御部８は、操作表示部１が出力するユーザによる操作指示が綴じ代設定を指示するものであるか否かを判断する（ステップＳ２）。
このステップＳ２において、ユーザによる操作指示が綴じ代設定を指示するものである場合には（ステップＳ２のＹｅｓ）、制御部８はステップＳ３へ処理を進め、ユーザによる操作指示が綴じ代設定を指示するものでない場合には（ステップＳ２のＮｏ）、制御部８は、他処理へ移行する（ステップＳout）。
【００２２】
ステップＳ３において、制御部８は、給紙装置７に、１枚目の原稿の画像データ（第１画像データ）が示す画像の寸法に合う印刷紙（第１記録媒体）が収納されているか否かを判断する（ステップＳ３）。
このとき、画像データが示す画像の寸法に合う印刷紙が、各給紙カセット７１〜７６のうちの複数の給紙カセットに相異する向きで収納されていた場合には、制御部８は、縦置きで収納されているものを優先的に選択する。
【００２３】
例えば、図４（ａ）に示すような寸法及び向きの３枚の原稿Ｄ１〜Ｄ３の画像が原稿読取装置３に給紙されて画像データが生成されたとする。上記原稿の寸法及び向きについて記すと、１枚目の原稿Ｄ１（図４（ａ）左）はＡ４の縦置き、２枚目の原稿Ｄ２（図４（ａ）中央）はＡ３の横置き、３枚目の原稿Ｄ３（図４（ａ）右）はＢ５の横置きである。
ステップＳ３において、画像データが示す画像はＡ４であるので、縦置きのＡ４の印刷紙Ｓ１を収納する給紙カセット７２に印刷紙Ｓ１が収納されていれば、制御部８は給紙カセット７２の印刷紙Ｓ１を選択する（図４（ｂ）左）。また、給紙カセット７２に印刷紙Ｓ１が収納されておらず、且つ、横置きのＡ４の印刷紙Ｓ１´を収納する給紙カセット７５に印刷紙Ｓ１´が収納されていれば、制御部８は給紙カセット７５の印刷紙Ｓ１´を選択する（図４（ｃ）左）。そして、給紙カセット７２及び給紙カセット７５の何れにも印刷紙Ｓ１，Ｓ１´が収納されていなければ、制御部８は処理を終了する。
【００２４】
次に、制御部８は、ステップＳ３で選択された印刷紙Ｓ１又はＳ１´の向きが、画像データが示す画像の向きに合うか否かを判断する（ステップＳ４）。
ステップＳ３で選択された印刷紙Ｓ１又はＳ１´の向きと画像データが示す画像の向きとが合わなければ、画像データを変換して、画像データが示す画像を回転させて向きを変えた状態の画像データを生成し（ステップＳ５）、処理をステップＳ４に戻す。そして、ステップＳ４において、ステップＳ３で選択された印刷紙Ｓ１又はＳ１´の向きと画像データが示す画像の向きとが合えば、ステップＳ６へ処理を進める。
【００２５】
例えば、ステップＳ３において、横置きのＡ４の印刷紙Ｓ１´が選択されていれば、制御部８は、ステップＳ４からステップＳ５へ処理を進め、ステップＳ５において図４（ｃ）左に示すように画像を横倒しにした画像データを生成して、ステップＳ４に戻ってから、ステップＳ６へ処理を進める。
【００２６】
ステップＳ６において、制御部８は、画像データに基づく画像を、印刷紙Ｓ１又はＳ１´に印刷する（図４（ｂ）左、図４（ｃ）左）（ステップＳ６）。
このとき、ユーザの操作指示が、少なくとも１枚目の原稿Ｄ１（縦置きのＡ４）の左上に当たる位置ｑを綴じるように綴じ代を設定するものであって（図４（ａ）左）、原稿Ｄ１と同じく縦置きのＡ４の印刷紙Ｓ１に印刷するのであれば（図４（ｂ）左）、印刷紙Ｓ１の左辺及び上辺に綴じ代ｍとしての余白を設け、残りの部分に画像データが示す画像を印刷する。
また、ユーザの操作指示が、少なくとも１枚目の原稿Ｄ１（縦置きのＡ４）の左上に当たる位置ｑを綴じるように綴じ代を設定するものであるが（図４（ａ）左）、原稿Ｄ１と異なり横置きのＡ４の印刷紙Ｓ１´に印刷するのであれば（図４（ｃ）左）、印刷紙Ｓ１´の上辺及び右辺に綴じ代ｍとしての余白を設け、残りの部分に画像データが示す横倒しの画像を印刷する。
【００２７】
次に、制御部８は、画像データが複数頁に渡っているか否か、即ち、後続の画像データ（第２画像データ）の有無を判断する（ステップＳ７）。
画像データが有る場合には（ステップＳ７のＹｅｓ）、制御部８は、処理をステップＳ８へ進める。画像データがない場合には（ステップＳ７のＮｏ）、制御部８は、処理を終了する。
【００２８】
ステップＳ８において、制御部８は、給紙装置７に、画像データが示す画像の寸法に合う印刷紙が収納されているか否かを判断する（ステップＳ８）。
本ステップＳ８が、図４（ａ）中央に例示する２枚目の原稿Ｄ２に係る処理であるときには、原稿がＡ３であるので、制御部８は、横置きのＡ３の印刷紙Ｓ２を収納する給紙カセット７３に印刷紙Ｓ２が収納されているか否かを判断する。給紙カセット７３に印刷紙Ｓ２が収納されていれば、制御部８は、給紙カセット７３の印刷紙Ｓ２を選択する（図４（ｂ）中央、図４（ｃ）中央）。給紙カセット７３に印刷紙Ｓ２が収納されていなければ、制御部８は処理を終了する。
また、本ステップＳ８が、図４（ａ）右に例示する３枚目の原稿Ｄ３に係る処理であるときには、原稿がＢ５であるので、制御部８は、縦置きのＢ５の印刷紙Ｓ３を収納する給紙カセット７１に印刷紙Ｓ３が収納されていれば、給紙カセット７１の印刷紙Ｓ３を選択する（図４（ｂ）右、図４（ｃ）右）。更に、給紙カセット７１に印刷紙Ｓ３が収納されておらず、且つ、横置きのＢ５の印刷紙Ｓ３´を収納する給紙カセット７６に印刷紙Ｓ３´が収納されていれば、給紙カセット７６の印刷紙Ｓ３´を選択する（図４（ｄ））。給紙カセット７１及び給紙カセット７６の何れにも印刷紙Ｓ３，Ｓ３´が収納されていなければ、制御部８は処理を終了する。
【００２９】
次に、制御部８は、ステップＳ８で選択された印刷紙の向きが、画像データが示す画像の向きに合うか否かを判断する（ステップＳ９）。
ステップＳ８で選択された印刷紙の向きと画像データが示す画像の向きとが合わなければ、画像データを変換して、画像データが示す画像を回転させて向きを変えた状態の画像データを生成し（ステップＳ１０）、処理をステップＳ９に戻す。そして、ステップＳ９において、ステップＳ８で選択された印刷紙の向きと画像データが示す画像の向きとが合えば、ステップＳ１１へ処理を進める。
【００３０】
ここで、ステップＳ１０で画像を回転させた場合には、制御部８は、処理の戻り先であるステップＳ９における再度の判断で、印刷紙の向きと画像データが示す画像の向きとが合ったか否かを判断するのに、ステップＳ８で選択された印刷紙に設ける余白の位置をも考慮する。
ステップＳ８で選択された印刷紙には、後述するステップＳ１１において、ステップＳ６で１枚目の印刷紙に設けた余白と同じ位置に余白を設ける。このステップＳ１１で設ける余白が、画像の下に位置することになるとステップＳ９で判断される場合には、更にステップＳ１０で画像を１８０°回転させた後、改めてステップＳ９を経てステップＳ１１へ処理を進める。
【００３１】
ステップＳ１１において、制御部８は、画像データに基づく画像を、印刷紙に印刷する（図４（ｂ）中央、左、図４（ｃ）中央、左、図４（ｄ））（ステップＳ１１）。
このとき、ステップＳ６で印刷された１枚目の印刷紙Ｓ１において、綴じ代ｍとしての余白が印刷紙Ｓ１の左辺及び上辺に設けられていれば、２枚目及び３枚目の印刷紙Ｓ２，Ｓ３（又はＳ３´）においても、左辺及び上辺に余白を設ける（図４（ｂ）中央、左）。
また、ステップＳ６で印刷された１枚目の印刷紙Ｓ１において、綴じ代ｍとしての余白が印刷紙Ｓ１の上辺及び右辺に設けられていれば、２枚目及び３枚目の印刷紙Ｓ２，Ｓ３（又はＳ３´）においても、上辺及び右辺に余白を設ける（図４（ｃ）中央、左、図４（ｄ））。
【００３２】
そして、画像データが終了するまで、ステップＳ８〜Ｓ１１を繰り返す（ステップＳ１２）。
【００３３】
このように、本実施形態によれば、１枚目の原稿の複写物つまり印刷紙Ｓ１には、ユーザの指定する位置に余白を設けると共に、後続の原稿の複写物つまり印刷紙Ｓ２，Ｓ３（又はＳ３´）には、印刷後の重なった印刷紙の余白が揃うように余白を設けるので、印刷後の重なったままの状態で全印刷紙の余白が揃う。したがって、１枚目の原稿の複写物の余白をユーザの意図する位置に設けることを可能にすると共に、ユーザの手作業なしに全印刷紙の余白の位置を揃えることができる。よって、余白が綴じ代であれば、印刷後の重なったままの状態で印刷紙を綴じることができる。
【００３４】
図５は、少なくとも１枚目の原稿の右上に当たる位置をｒ綴じるように綴じ代を設定した場合の原稿Ｄ１〜Ｄ３の給紙方向（ａ）及び印刷紙Ｓ１〜Ｓ３，Ｓ１´，Ｓ３´の排紙方向（ｂ，ｃ，ｄ）を示す模式図である。
本図に示すように、綴じ代ｍの設定位置が図４に示した例と異なっても、図３のフローチャートに示す処理によって、図４に示した例と同様に、１枚目の原稿Ｄ１の複写物の余白をユーザの意図する位置に設けることを可能にすると共に、ユーザの手作業なしに全印刷紙の余白の位置を揃えることができる。
【００３５】
なお、本実施形態のステップＳ８では、制御部８は、縦置きで収納されている印刷紙を優先的に選択しているが、実施にあたっては、ステップＳ３で横置きの印刷紙が選択された場合には、これに合わせてステップＳ８でも横置きの印刷紙を選択するようにしてもよい。
また、本実施形態では、綴じ代としての余白を印刷紙の隣り合う２辺に設けているが、実施にあたっては、印刷紙の１辺に余白を設けるのに本発明を適用してもよい。
【００３６】
更に、本実施形態では、等倍複写を例として説明したが、実施にあたっては、原稿画像を拡大ないし縮小して複写するにあたって本発明を適用してもよい。この場合には、図３のフローチャートのステップＳ３及びステップＳ８では、制御部８は、拡大ないし縮小後の画像データが示す画像の寸法に合う印刷紙の有無を判断する。
また、実施にあたっては、余白に頁番号を印刷するようにしてもよい。
【００３７】
また、本実施形態では、原稿読取装置３が読み取った画像を複写する場合について説明しているが、本発明の実施にあたってはこれに限られるものではなく、例えば、通信インタフェース２がローカルエリアネットワークＮを介してパーソナルコンピュータｔ１，ｔ２，…，ｔｎ等のホスト装置から受信した画像データの印刷に本発明を適用してもよい。
そして、本実施形態では、複合機１００について説明したが、実施にあたっては、例えば複写機やプリンタ等の他の画像形成装置に本発明を適用してもよい。
【図面の簡単な説明】
【００３８】
【図１】本発明の一実施形態における複合機１００の一部の外観を示す斜視図である。
【図２】本発明の一実施形態における複合機１００の機能構成を示すブロック図である。
【図３】本発明の一実施形態における複合機１００の特徴的動作の一つである綴じ代設定印刷の流れを示すフローチャートである。
【図４】本発明の一実施形態において、少なくとも１枚目の原稿の左上に当たる位置を綴じるように綴じ代を設定した場合の原稿の給紙方向（ａ）及び印刷紙の排紙方向（ｂ，ｃ，ｄ）を示す模式図である。
【図５】本発明の一実施形態において、少なくとも１枚目の原稿の右上に当たる位置を綴じるように綴じ代を設定した場合の原稿の給紙方向（ａ）及び印刷紙の排紙方向（ｂ，ｃ，ｄ）を示す模式図である。
【図６】第１の従来例において、綴じ代を設定した場合の原稿の給紙方向（ａ）及び印刷紙の排紙方向（ｂ，ｃ，ｄ）を示す模式図である。
【図７】第２の従来例における綴じ代を設定した場合の原稿の給紙方向（ａ）及び印刷紙の排紙方向（ｂ，ｃ，ｄ）を示す模式図である。
【符号の説明】
【００３９】
１００…複合機、  １…操作表示部、  １ａ…操作キー、  １ｂ…表示パネル、  ２…通信インタフェース、  ３…原稿読取装置、  ４…画像記憶部、  ５…画像処理部、  ６…印刷部、  ７…給紙装置、  ８…制御部、  ７１〜７６…給紙カセット、
Ｎ…ローカルエリアネットワーク、  ｔ１，ｔ２，…ｔｎ…パーソナルコンピュータ、
ｑ，ｒ…綴じ位置、  Ｓ１〜Ｓ３，Ｓ１´，Ｓ３´…印刷紙、  ｍ…綴じ代、
ｐ…綴じ位置、  Ｓ…印刷紙
【図１】
2008143079.tif 000003
【図２】
2008143079.tif 000004
【図３】
2008143079.tif 000005
【図４】
2008143079.tif 000006
【図５】
2008143079.tif 000007
【図６】
2008143079.tif 000008
【図７】
2008143079.tif 000009